(57)【要約】【課題】固定部に作用する荷重に対する強度を確保しつつ、高い意匠性を実現できる手洗装置を提供する。【解決手段】手洗装置において、基体に設置される手洗器を備え、手洗器は、鉢部２１と、鉢部２１の側方に設けられる側壁部２９と、基体に固定される固定部３１とを備え、固定部３１は、鉢部２１と側壁部２９の間に架け渡され、鉢部２１の上端部２１ａから下方に離れた位置に一端部３１ａが接続され、側壁部２９の上端部２９ａから下方に離れた位置に他端部３１ｂが接続される。【選択図】図７
2015204990.tif 000002
【特許請求の範囲】
【請求項１】
基体に設置されるべき手洗器を備え、
前記手洗器は、
鉢部と、
前記鉢部の側方に設けられる側壁部と、
前記基体に固定されるべき固定部と、を有し、
前記固定部は、前記鉢部と前記側壁部の間に架け渡されることを特徴とする手洗装置。
【請求項２】
前記固定部は、前記鉢部の上端部から下方に離れた位置に一端部が接続され、前記側壁部の上端部から下方に離れた位置に他端部が接続されることを特徴とする請求項１に記載の手洗装置。
【請求項３】
前記鉢部は、第１面部と第２面部を接続する曲げ部を有し、
前記固定部は、前記曲げ部に一端部が接続されることを特徴とする請求項１または２に記載の手洗装置。
【請求項４】
前記固定部は、前記鉢部から前記側壁部に近づく方向に向けて延びる内側部分と、前記側壁部から前記鉢部に近づく方向に向けて延びる外側部分と、を有し、
前記内側部分と前記外側部分は、それぞれ異なる方向に沿って延びるように形成され、いずれか一方の先端部が他方に接続されることを特徴とする請求項１から３のいずれかに記載の手洗装置。
【請求項５】
前記内側部分は、板状に形成され、
前記外側部分は、板状に形成され、
前記内側部分と前記外側部分は、いずれか一方の先端部の幅方向が他方の延びる方向と交差するように、その一方の先端部が他方に接続されることを特徴とする請求項４に記載の手洗装置。
【発明の詳細な説明】
【技術分野】
【０００１】
本発明は、トイレや洗面所等に設置される手洗装置に関する。
【背景技術】
【０００２】
従来より、トイレの室内空間を有効利用するため、洋風大便器とキャビネットを一体化したトイレユニットが提案されている。このユニットでは、大便器の後部にキャビネットが設置される。キャビネットには、物品の収納部の他に、ロータンクの収納部が設けられ、物品の収納空間を確保しつつすっきりとした外観が得られる。
【０００３】
キャビネットのカウンターには、トイレの利用後にユーザが手洗いできるように、手洗装置が取り付けられる場合がある（特許文献１参照）。手洗装置は、鉢部を有する樹脂成形品の手洗器と、鉢部に水を吐き出す吐水部材を備える。手洗器には、通常、カウンターと上下に対向する位置に鉢部等から片持ち状に突出する固定部が設けられ、その固定部の下面には第１面ファスナーが貼り付けられる。この第１面ファスナーは、カウンターの上面に貼り付けられる第２面ファスナーと脱着可能に結合され、手洗器の固定部がカウンターに固定される。
【先行技術文献】
【特許文献】
【０００４】
【特許文献１】特開２００６−０００４０２号公報
【発明の概要】
【発明が解決しようとする課題】
【０００５】
この種の手洗器では、各面ファスナーを着け外しするときに、手洗器の固定部に大きな荷重が作用する。この荷重に対する強度を確保するため、固定部に補強リブが接続される場合がある。補強リブは、通常、固定部を補強するため、手洗器の鉢部等に対して広い範囲で接続される。
【０００６】
ここで、手洗器は、その成形過程で生じる素材の収縮により、ユーザに視認される意匠面に窪みであるヒケが生じ得る。よって、固定部を補強するために補強リブを広い範囲で接続すると、その補強リブの収縮により意匠面にヒケが生じ易くなり、手洗器の外観を損ないかねない。
【０００７】
本発明は、このような課題に鑑みてなされ、その目的は、固定部に作用する荷重に対する強度を確保しつつ、高い意匠性を実現できる手洗装置を提供することにある。
【課題を解決するための手段】
【０００８】
上記課題を解決するための本発明のある態様は手洗装置に関する。手洗装置は、基体に設置されるべき手洗器を備え、手洗器は、鉢部と、鉢部の側方に設けられる側壁部と、基体に固定されるべき固定部と、を有し、固定部は、鉢部と側壁部の間に架け渡される。
この態様によると、鉢部や側壁部と固定部との接続範囲を小さくでき、鉢部の内側面や側壁部の外側面でのヒケの発生範囲を小さくし、手洗器の意匠性が良好となる。また、固定部に作用する荷重を鉢部と側壁部に分散して伝達できるため、その荷重に対する強度を確保し易くなる。
【０００９】
固定部は、鉢部の上端部から下方に離れた位置に一端部が接続され、側壁部の上端部から下方に離れた位置に他端部が接続されてもよい。
この態様によると、鉢部や側壁部の上端部から下方に離れた位置に固定部の両端部が接続されるため、ユーザに目立つ箇所でのヒケの発生が抑えられ、手洗器の意匠性がより良好となる。
【００１０】
鉢部は、第１面部と第２面部を接続する曲げ部を有し、固定部は、曲げ部に一端部が接続されてもよい。
この態様によると、鉢部で剛性に優れる曲げ部に固定部の一端部が接続されるため、固定部に作用する荷重に対する強度を確保し易くなる。
【００１１】
固定部は、鉢部から側壁部に近づく方向に向けて延びる内側部分と、側壁部から鉢部に近づく方向に向けて延びる外側部分と、を有し、内側部分と外側部分は、それぞれ異なる方向に沿って延びるように形成され、いずれか一方の先端部が他方に接続されてもよい。
この態様によると、内側部分と外側部分の接続部で剛性を確保し易くなり、固定部に作用する荷重に対する強度を確保し易くなる。
【００１２】
内側部分は、板状に形成され、外側部分は、板状に形成され、内側部分と外側部分は、いずれか一方の先端部の幅方向が他方の延びる方向と交差するように、その一方の先端部が他方に接続されてもよい。
この態様によると、内側部分と外側部分のうちの他方について、その延びる方向の方向軸周りの撓みを抑え易くなり、固定部の強度を確保し易くなる。
【発明の効果】
【００１３】
本発明によれば、固定部に作用する荷重に対する強度を確保しつつ、手洗器の意匠性を良好にできる。
【図面の簡単な説明】
【００１４】
【図１】第１実施形態に係る手洗装置が用いられるトイレユニットを示す斜視図である。
【図２】第１実施形態に係るキャビネットから手洗装置を取り外した状態を示す斜視図である。
【図３】第１実施形態に係る手洗装置の側面断面図である。
【図４】第１実施形態に係る手洗器を斜め下側から見た斜視図である。
【図５】第１実施形態に係る手洗器の底面図である。
【図６】図５のＡ−Ａ線断面図である。
【図７】第１実施形態に係る手洗器の一部を拡大した正面断面図である。
【図８】関連技術に係る手洗器の概略的な構成を示す拡大正面断面図である。
【発明を実施するための形態】
【００１５】
［第１の実施の形態］
図１は第１実施形態に係る手洗装置１０が用いられるトイレユニット１００を示す斜視図である。トイレユニット１００は、キャビネット１１０と、便器１２０と、手洗装置１０を備える。
【００１６】
キャビネット１１０には、洗浄水タンク１３０が収容されるタンク収納部（図示せず）が設けられ、タンク収納部の前方には前板１１１が設けられる。前板１１１の前方には便器１２０が設置される。前板１１１の左右方向Ｘの両側には側板１１３が開閉可能に設けられ、側板１１３の奥側には物品収納部（図示せず）が設けられる。キャビネット１１０の上部にはカウンター１１５が設置され、カウンター１１５の左右方向Ｘの一端側には手洗装置１０が取り付けられる。
【００１７】
図２はキャビネット１１０から手洗装置１０を取り外した状態を示す斜視図である。本図ではキャビネット１１０はカウンター１１５のみ図示する。
【００１８】
手洗装置１０は、手洗器２０と、吐水部材８０を備える。手洗器２０は基体としてのカウンター１１５に設置される。手洗器２０には、後述する固定部３１（本図では図示せず）に留め具としての第１面ファスナー５３が複数取り付けられる。カウンター１１５には第１面ファスナー５３と上下に対向する位置に第２面ファスナー５５が取り付けられる。手洗器２０は、各面ファスナー５３、５５により脱着可能にカウンター１１５に結合される。なお、キャビネット１１０の上部には、後述する導水管１３１や排水管１３３を内部に導くための切欠孔１７が形成される。
【００１９】
図３は手洗装置１０の側面断面図を示す。本図では図１の左右方向Ｘに沿った方向から見た断面図を示す。以下、左右方向Ｘと直交する水平方向を前後方向Ｙ、上下方向を方向Ｚとして説明する。なお、方向Ｘ、Ｙは互いに直交する水平方向と一致する。
【００２０】
手洗器２０は、その背面側を壁面１４０に臨ませて配置される。手洗器２０は、吐水部材８０から吐き出される水を受ける鉢部２１と、吐水部材８０が着座する座面２３を備える。座面２３には貫通孔２５が形成される。手洗器２０の詳細は後述する。
【００２１】
吐水部材８０は、本体部８１と、挿通軸部８３を有する。本体部８１は、樹脂、金属等を素材とする管体により構成され、手洗器２０の座面２３に起立した状態で設けられる。本体部８１の先端部には鉢部２１内に臨む吐水口８５が形成される。本体部８１の基端側には挿通軸部８３が設けられ、本体部８１と挿通軸部８３の間には径方向外側に張り出す係止段部８７が形成される。吐水部材８０は、係止段部８７が座面２３に着座した状態で固定される。
【００２２】
挿通軸部８３は、筒状に形成され、本体部８１の基端側に設けられる。挿通軸部８３は、手洗器２０の貫通孔２５に挿通され、その先端側が手洗器２０の裏面側に突き出る。挿通軸部８３の手洗器２０の裏面側に突き出る部位には固定具９０が装着される。吐水部材８０は、固定具９０により、手洗器２０に対して挿通軸部８３の軸方向に固定される。
【００２３】
挿通軸部８３の先端部には導水管１３１の一端部が接続される。導水管１３１は可撓性を有し、その他端部（図示せず）がキャビネット１１０の切欠孔１７を通してキャビネット１１０内に導かれ、給水装置としてのボールタップに接続される。吐水口８５には給水装置から導水管１３１、吐水部材８０を通して水が供給され、吐水口８５から鉢部２１内に吐水される。
【００２４】
図４は手洗器２０を斜め下側から見た斜視図であり、図５は手洗器２０の底面図である。手洗器２０は、鉢部２１の他に、側壁部２９と、固定部３１を備える。手洗器２０は、樹脂材料を素材として各部位が一体成形されるが、セラミックス等を素材としてもよい。手洗器２０は、金型内に溶融樹脂等の溶融材を流し込み、溶融材を冷却して固化させる射出成形等の成形法により得られる。
【００２５】
鉢部２１は、底面部３３と、複数の側面部３５を有する。底面部３３は、鉢部２１の底側に設けられ、矩形を呈する板状に形成される。各側面部３５は、底面部３３の四周の側端部から立ち上がるように形成される。各側面部３５は、それぞれ矩形を呈する板状に形成される。
【００２６】
側面部３５は、底面部３３の四周にある側面部３５のうち、前後方向Ｙの一方に設けられる第１側面部３５Ａと、他の位置に設けられる第２側面部３５Ｂと、を含む。第１側面部３５Ａは、第２側面部３５Ｂよりも、水平面に対する鋭角での傾斜角度が小さくなるように形成される。第１側面部３５Ａの内側面２１ｃには座面２３が形成される（図３参照）。
【００２７】
底面部３３には、図３に示すように、鉢部２１内で受けた水を排水するための排水口３７が形成される。底面部３３には排水口３７から下方に突出する排水筒部３９が設けられ、排水筒部３９には排水管１３３の一端部が接続される。排水管１３３は可撓性を有し、その他端部（図示せず）がキャビネット１１０の切欠孔１７を通してキャビネット１１０内に導かれ、洗浄水タンク１３０内に配置される。排水筒部３９と排水管１３３の内側には排水路１３５が形成され、鉢部２１内で受けた水が排水路１３５を通して洗浄水タンク１３０に排水される。
【００２８】
鉢部２１の内側面２１ｃである底面部３３、各側面部３５の内側面は、排水口３７に向けて下向きに傾斜して形成される。底面部３３の内側面２１ｃは、各側面部３５の内側面２１ｃより緩やかに傾斜して形成される。鉢部２１の内側面２１ｃは、ユーザに視認可能に露出する意匠面として設けられる。
【００２９】
鉢部２１は、その上端部２１ａが側壁部２９の上端部２９ａにリム部２７を介して接続される。側壁部２９は、リム部２７から下方に延びて平板状に形成され、鉢部２１の側方に間隔を空けて設けられる。リム部２７は、鉢部２１の上端部２１ａに沿って環状に形成される（図２参照）。
【００３０】
底面部３３と各側面部３５の境界部分には、それらを接続する第１曲げ部４１が設けられる。第１曲げ部４１は、底面部３３と各側面部３５を滑らかに繋ぐとともに、鉢部２１の外側に向けて凸となるように湾曲して形成される。第１曲げ部４１は、底面部３３の側端部の全周に亘り滑らかに連なる形状を有する。
【００３１】
隣接する側面部３５同士の境界部分には、図４、図５に示すように、それらを接続する第２曲げ部４３が設けられる。第２曲げ部４３は、隣接する側面部３５を滑らかに繋ぐとともに、鉢部２１の外側に向けて凸となるように湾曲して形成される。
【００３２】
側壁部２９は、鉢部２１の左右方向Ｘ、前後方向Ｙのそれぞれ、つまり、鉢部２１の四周の側方に設けられる。各側壁部２９は、鉢部２１を取り囲むように設けられ、全体として角形の筒状に形成される。鉢部２１の前方や左右方向Ｘにある側壁部２９は、それらの外側面２９ｂがユーザに視認可能に露出する意匠面として設けられる。
【００３３】
図６は図５のＡ−Ａ線断面図を示す。固定部３１は、左右方向Ｘの各側壁部２９と鉢部２１の間に配置される。固定部３１は、手洗器２０がカウンター１１５に設置されるとき、詳細を後述するようにカウンター１１５に固定される。
【００３４】
図７は図６の部分拡大図を示す。固定部３１は、鉢部２１の外側面２１ｂと、側壁部２９の内側面２９ｃの間に架け渡される。より詳細には、固定部３１は、鉢部２１の第１曲げ部４１の外側面２１ｂに一端部３１ａが接続され、側壁部２９の内側面２９ｃに他端部３１ｂが接続される。固定部３１の一端部３１ａは、鉢部２１の下部にある第１曲げ部４１、つまり、鉢部２１の上端部２１ａから下方に離れた位置に接続される。固定部３１の他端部３１ｂは、側壁部２９の下部、つまり、側壁部２９の上端部２９ａから下方に離れた位置に接続される。固定部３１が架け渡される方向に沿って切断した断面には、鉢部２１の側面部３５と、側壁部２９と、固定部３１とにより囲まれた中空部４７を有する閉断面が形成される。
【００３５】
ここで、鉢部２１の上端縁２１ｄを通る仮想線をＬｂ１とし、仮想線Ｌｂ１とカウンター１１５の上面１１５ａとの中央位置を通る仮想線をＬｃ１とする。各仮想線Ｌｂ１、Ｌｃ１は、カウンター１１５の上面１１５ａと平行である。このとき、固定部３１の一端部３１ａは、この仮想線Ｌｃ１より下方の位置で鉢部２１に接続され、その仮想線Ｌｃ１から上方の位置では鉢部２１に接続されない。また、側壁部２９の上端縁２９ｄを通る仮想線Ｌｂ２とし、仮想線Ｌｂ２とカウンター１１５の上面１１５ａとの中央位置を通る仮想線をＬｃ２とする。本例では、側壁部２９の上端縁２９ｄは鉢部２１の上端縁２１ｄと同じ位置にある。各仮想線Ｌｂ２、Ｌｃ２は、カウンター１１５の上面１１５ａと平行であり、本例では仮想線Ｌｂ１、Ｌｃ１と同じ位置にある。このとき、固定部３１の他端部３１ｂは、この仮想線Ｌｃ２より下方の位置で側壁部２９に接続され、その仮想線Ｌｃ２から上方の位置では側壁部２９に接続されない。
【００３６】
固定部３１は、鉢部２１から側壁部２９に近づく方向に向けて延びる内側部分４９と、側壁部２９から鉢部２１に近づく方向に向けて延びる外側部分５１を有する。内側部分４９は水平面に傾斜する板状に形成され、外側部分５１は水平面と平行な板状に形成される。各部分４９、５１は、それぞれ異なる方向に沿って延びるように形成される。各部分４９、５１は、内側部分４９の先端部４９ａが外側部分５１の先端部５１ａに接続される。各部分４９、５１の接続部分は、下向きに凸となるように曲げた形状を有する。
【００３７】
外側部分５１は、カウンター１１５の上面１１５ａと対向して設けられ、その上面１１５ａと平行に設けられる。外側部分５１のカウンター１１５との対向面である下面５１ｂには、カウンター１１５に固定部３１を留めるための留め具として第１面ファスナー５３が貼付等により取り付けられる。カウンター１１５にも外側部分５１との対向面である上面１１５ａには第２面ファスナー５５が貼付等により取り付けられる。
【００３８】
各面ファスナー５３、５５は、固定部３１等に裏面が取り付けられる面状部５７と、面状部５７の表面に設けられる複数の係合部５９を備える。各面ファスナー５３、５５は、各々の係合部５９同士の係合により脱着可能に結合する。係合部５９は、面状部５７から突出する柱状部の頭部が拡径したマッシュルーム状のオス係合部により構成される。なお、係合部５９は、かぎ状等の他の形状のオス係合部により構成されてもよいし、ループ状等のメス係合部により構成されてもよい。この種の面ファスナー５３、５５は周知なため、詳細な説明は省略する。
【００３９】
各部分４９、５１は、図５に示すように、それらの幅方向Ｐ１が平行となるように設けられる。本例では各部分４９、５１の幅方向Ｐ１は前後方向Ｙに一致する。各部分４９、５１は、内側部分４９の先端部４９ａの幅方向Ｐ１が外側部分５１の延びる方向Ｐ２と直交するように接続される。内側部分４９の先端部４９ａは、その幅方向Ｐ１が外側部分５１の延びる方向Ｐ２と交差するように接続されることになる。本例では外側部分５１の延びる方向Ｐ２は左右方向Ｘと一致する。
【００４０】
なお、固定部３１は、図５、図７に示すように、その上面に板状の補強リブ６１が接続される。補強リブ６１は、鉢部２１の第１曲げ部４１の外側面２１ｂに一端部６１ａが接続され、側壁部２９の内側面２９ｃに他端部３１ｂが接続される。補強リブ６１の一端部６１ａは、固定部３１と同様に、鉢部２１の上端部２１ａから下方に離れた位置に接続され、補強リブ６１の他端部６１ｂは、側壁部２９の上端部２９ａから下方に離れた位置に接続される。また、補強リブ６１の一端部６１ａは、仮想線Ｌｃ１より下方の位置で鉢部２１に接続され、その仮想線Ｌｃ１から上方の位置では鉢部２１に接続されない。また、補強リブ６１の他端部６１ｂは、仮想線Ｌｃ２より下方の位置で側壁部２９に接続され、その仮想線Ｌｃ２から上方の位置では側壁部２９に接続されない。補強リブ６１はなくともよい。
【００４１】
また、固定部３１の他端部３１ｂは、図５に示すように、側壁部２９の前後方向Ｙでの中央位置を含む範囲で、側壁部２９の中間部２９ｅに接続される。
【００４２】
以上の実施形態に係る手洗装置１０の作用効果を説明する。図８は関連技術としての手洗器２２０の概略的な構成を示す図である。手洗器２２０の固定部２３１は、鉢部２２１の外側面２２１ｂから突出して平板状に形成される。固定部２３１は、その下面２５１ｂの第１面ファスナー２５３を、カウンター３１５の上面３１５ａの第２面ファスナー２５５に脱着可能に結合させて、カウンター３１５に固定される。なお、本構造では手洗器２２０の鉢部２２１がキャビネットの上部に形成される切欠孔３１７内に挿通される形状を有する。
【００４３】
各面ファスナー２５３、２５５を着け外しするとき、固定部２３１には大きな荷重が作用する。このとき、固定部２３１は片持ち状に鉢部２２１に接続されるため、その荷重に抵抗し難くい。この対策として、固定部２３１は、鉢部２２１の外側面２２１ｂから突出する補強リブ２２３に接続される。
【００４４】
補強リブ２２３は、鉢部２２１の外側面２２１ｂに対して、その上端部２２１ａから固定部２３１との接続箇所にかけて連なるように接続され、リム部２２７の下面に対しても接続される。よって、関連技術の構造では、手洗器２２０の成形過程において、補強リブ２２３の面内方向の収縮により、鉢部２２１の内側面２２１ｃやリム部２２７の上面等の意匠面に広い範囲でヒケが生じ、手洗器２２０の外観を損ないかねない。
【００４５】
この点、本実施形態に係る手洗装置１０によれば、固定部３１が鉢部２１と側壁部２９の間に架け渡される形状を有する。よって、関連技術の補強リブ２２３を比較して、鉢部２１や側壁部２９との上下方向Ｚでの接続範囲やリム部２７との接続範囲を抑えられる。よって、鉢部２１の内側面２１ｃ、側壁部２９の外側面２９ｂ、リム部２７の上面等のように、ユーザに視認される意匠面でのヒケの発生範囲を小さくでき、手洗器２０の意匠性が良好となる。
【００４６】
また、本実施形態に係る固定部３１は、鉢部２１と側壁部２９に接続されるため、固定部３１に荷重が作用したとき、その荷重を鉢部２１と側壁部２９に分散して伝達でき、これらを含む部位でこの荷重に抵抗できる。よって、関連技術の構造のように、固定部２３１が片持ち状に鉢部２２１に接続される場合と比較して、固定部３１に作用する荷重に抵抗する範囲が広くなり、その荷重に対する強度を確保し易くなる。特に、固定部３１は、鉢部２１と側壁部２９の一方に片持ち支持されるのではなく、これらに両持ち支持されるため、その接続部での応力集中を抑え易くなる。
【００４７】
また、関連技術の構造では、固定部２３１が片持ち状に接続されるため、その先端部２３１ａと側壁部２２９の間に空間２３０が形成される。この空間２３０があると、金型を用いて樹脂成形するときに、その狭い空間２３０に入り込む挿入部を金型に設ける必要が生じる。この挿入部は空間２３０が狭いため小寸法になり易く、その耐荷重強度を確保し難くなり、金型の耐久性が低下しかねない。
【００４８】
この点、本実施形態に係る固定部３１は、鉢部２１と側壁部２９に接続されるため、関連技術のように空間２３０が生じない。よって、関連技術の構造の手洗器２２０を成形するときのように、金型に小寸法の挿入部を設ける必要が生じ難くなり、その耐荷重強度を確保し易くなり、金型の耐久性を低下させ難くできる。
【００４９】
また、ユーザが手洗器２０を利用するとき、通常、ユーザは鉢部２１内に手を差し出し、その手を見ながら手洗いをする。このとき、リム部２６の近傍にある鉢部２１や側壁部２９の上端部２１ａ、２９ａの付近はユーザにより視認され易い。この点、本実施形態に係る手洗装置１０によれば、固定部３１は、鉢部２１や側壁部２９の上端部２１ａ、２９ａから下方に離れた位置に両端部が接続されるため、ユーザに目立つ箇所でのヒケの発生が抑えられ、手洗器２０の意匠性がより良好となる。
【００５０】
また、鉢部２１では、底面部３３や側壁部２９等よりも、これらを接続する曲げ部４１の方が剛性を確保し易い。固定部３１の一端部３１ａは、鉢部２１で剛性に優れる曲げ部４１に接続されるため、固定部３１に作用する荷重に対する強度を確保し易くなる。また、曲げ部４１は、平板状ではなく曲げた形状を有するため、その箇所でヒケが発生しても目立ちにくい。よって、固定部３１の一端部３１ａの曲げ部４１への接続により、その曲げ部４１の内側面２１ｃで発生するヒケが目立ちにくく、手洗器２０の意匠性がより良好となる。
【００５１】
また、固定部３１は、それぞれ異なる方向に沿って延びる内側部分４９と外側部分５１を有するため、それらの接続部で剛性を確保し易くなる。また、各面ファスナー５３、５５の着け外しにより外側部分５１に荷重が作用したとき、その荷重を内側部分４９に分散したうえで鉢部２１に伝達でき、外側部分５１に面外方向の過度の力が作用するのを抑えられる。よって、外側部分５１の撓み等の変形を抑え易くなり、固定部３１の強度を確保し易くなる。
【００５２】
また、内側部分４９と外側部分５１は板状に形成され、一方の先端部４９ａの幅方向Ｐ１が他方の延びる方向Ｐ２と交差するように、その一方の先端部４９ａが他方に接続される。よって、各部分４９、５１のうちの一方の先端部４９ａの幅方向Ｐ１が他方の延びる方向Ｐ２と平行に形成される場合と比べて、その他方の延びる方向Ｐ２の方向軸周りの撓みを抑え易くなり、固定部３１の強度を確保し易くなる。
【００５３】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５４】
手洗装置１０は、トイレユニット１００のキャビネット１１０の上部に取り付けられる例を説明したが、その用途はこれに限られず、洗浄水タンク１３０の蓋として用いられてもよい。また、手洗装置１０は、トイレユニット１００の他に、洗面台等に用いられてもよい。
【００５５】
また、手洗器２０は、基体としてのカウンター１１５に設置される例を説明した。この手洗器２０の設置対象となる基体は、これに限られず、洗浄水タンク１３０、壁面等でもよい。
【００５６】
手洗器２０、吐水部材８０は、それらの形状について特に限られず、公知の形状に形成されてもよい。手洗器２０の座面２３は、鉢部２１の一部として設けられたが、鉢部２１とは異なる位置に設けられてもよい。座面２３は、水平面に対して傾斜して設けられたが、水平面と平行に設けられてもよい。
【００５７】
固定部３１は、基体としてのカウンター１１５に留め具としての面ファスナー５３、５５により固定される例を説明した。留め具は、面ファスナー５３、５５の他にも、ビス、ボルト等の点ファスナーでもよいし、マグネット等でもよい。固定部３１は、留め具を用いずに、溝、突起等の第１嵌合部を固定部３１に設け、その溝、突起等と嵌まり合う突起、溝等の第２嵌合部を基体に設け、これらの嵌め合いにより固定されてもよい。
【００５８】
固定部３１は、鉢部２１と側壁部２９の間に架け渡されていれば、その形状について特に限られない。たとえば、固定部３１は、外側部分５１と内側部分４９を設けずに、鉢部２１と側壁部２９の間に直線状に延びる単一の部分により構成されてもよい。また、外側部分５１と内側部分４９は、下向きに凸ではなく、上向きに凸となるように曲げた形状を有してもよい。また、各部分４９、５１は、それらの一方の先端部が他方の中間部に接続されてもよい。また、各部分４９、５１のうち、外側部分５１が留め具により基体としてのカウンター１１５に固定される例を説明した。各部分４９、５１は、いずれか一方が留め具により基体に固定されていればよく、内側部分４９が基体に固定されてもよい。
【００５９】
また、固定部３１の一端部３１ａは、鉢部２１の第１曲げ部４１に接続されたが、各側面部３５を接続する第２曲げ部４３に接続されてもよい。つまり、固定部３１の一端部３１ａは、互いに異なる方向に延びる第１面部と第２面部を接続する曲げ部に接続されていてよい。ここでの曲げ部とは第１曲げ部４１や第２曲げ部４３をいう。第１曲げ部４１では底面部３３が第１面部となり、側面部３５が第２面部となる。また、第２曲げ部４３では隣接する側面部３５が第１面部、第２面部となる。また、各曲げ部４１、４３は、鉢部２１の外側に向けて凸となるように湾曲して形成されたが、曲げられていれば屈曲して形成されてもよい。
【符号の説明】
【００６０】
１０…手洗装置、２０…手洗器、２１…鉢部、２１ａ…上端部、２９…側壁部、２９ａ…上端部、３１…固定部、３１ａ…一端部、３１ｂ…他端部、４１…第１曲げ部、４３…第２曲げ部、４９…内側部分、５１…外側部分。
【図１】
2015204990.tif 000003
【図２】
2015204990.tif 000004
【図３】
2015204990.tif 000005
【図４】
2015204990.tif 000006
【図５】
2015204990.tif 000007
【図６】
2015204990.tif 000008
【図７】
2015204990.tif 000009
【図８】
2015204990.tif 000010